(57)【特許請求の範囲】
【請求項１】
長靴本体の前面の足の脛に相当する位置から少なくとも足首に相当する位置まで伸びる両底面が開口した略筒形状の筒状部の側面および一方の底面が、前記長靴本体の前面において前記長靴本体と連結するよう一体に形成して前記長靴本体の足の脛に相当する位置から少なくとも足首に相当する位置まで略瓢箪形状にした軟質性防水素材により形成された長靴部と、
前記長靴部の底部に設けられた靴底形状の長靴底部と、
前記略瓢箪形状の窪んだ部分である前記長靴本体と前記筒状部との連結部の横幅を調整する前記長靴部に備えられた連結幅調整部材と
を具備し、
前記連結幅調整部材により前記連結部の横幅を調整して、前記長靴本体と前記筒状部側面全部又は一部との間の空間的連通をなくすことにより、前記筒状部底面において前記長靴本体内部との空間的連通を維持した状態の前記筒状部を前記長靴本体内部と外部とを繋ぐ通路にさせることを可能としたことを特徴とする長靴。
【請求項２】
前記長靴部底部に取り付けられ、足で踏むと前記長靴部内に空気を噴出するポンプ部をさらに設けたことを特徴とする請求項１記載の長靴。
【請求項３】
前記軟質性防水素材が、低密度ポリエチレン、発泡ポリエチレン、エラストマー、合成ゴム、エラストマーと発泡ポリエチレンとの混合素材のうちのいずれか１つであることを特徴とする請求項１記載の長靴。
【発明の詳細な説明】
【技術分野】
【０００１】
本発明は、長靴に関し、特に、長靴内部の通気性を向上させた長靴に関する。
【背景技術】
【０００２】
従来、長靴は防水性を重視するため、長靴内部の通気性は悪かった。長靴内部の通気性が悪いと、足が蒸れたり、長靴内部の衛生面が悪くなるという問題を生じさせていた。このような問題点を解決するため、従来、長靴の上方に開口し靴の外層と内層の間を通り下方に向って延びる通気孔を形成し、該通気孔の下方部を上記内層を通って靴内部へ連通させた長靴が提案されていた（例えば、特許文献１参照。）。
【先行技術文献】
【特許文献】
【０００３】
【特許文献１】特開２００１−１６１４０１号公報
【発明の概要】
【発明が解決しようとする課題】
【０００４】
上述の従来の長靴は、長靴を構成する外層と内層との間に通気孔を形成していた。このため、長靴を構成する素材が多層になり厚みを増していた。長靴を構成する素材が多層になり厚みを増すと長靴は変形し難くなり、長靴を履く際に相当の力を入れて足を長靴内部に押し込まないと長靴を履き難いという問題点があった。特に、靴を履いた状態で長靴を履こうという場合、靴を履いている分足の大きさがおおきくなるため、上述の従来の長靴では到底履くことは難しい。
【０００５】
そこで、本発明は、通気性を向上させると同時に、履くことを容易にさせた長靴を提供することを目的とする。
【課題を解決するための手段】
【０００６】
本発明は、上記課題を解決するためになされたものであり、本発明の長靴は、長靴本体の前面の足の脛に相当する位置から少なくとも足首に相当する位置まで伸びる両底面が開口した略筒形状の筒状部の側面および一方の底面が、上記長靴本体の前面において上記長靴本体と連結するよう一体に形成して上記長靴本体の足の脛に相当する位置から少なくとも足首に相当する位置まで略瓢箪形状にした軟質性防水素材により形成された長靴部と、上記長靴部の底部に設けられた靴底形状の長靴底部と、上記略瓢箪形状の窪んだ部分である上記長靴本体と上記筒状部との連結部の横幅を調整する上記長靴部に備えられた連結幅調整部材とを具備し、上記連結幅調整部材により上記連結部の横幅を調整して、上記長靴本体と上記筒状部側面全部又は一部との間の空間的連通をなくすことにより、上記筒状部底面において上記長靴本体内部との空間的連通を維持した状態の上記筒状部を上記長靴本体内部と外部とを繋ぐ通路にさせることを可能としたことを特徴とするものである。これにより、通気性を向上させると同時に、履くことを容易にさせるという作用をもたらす。
【０００７】
また、本発明の長靴において、上記長靴部底部に取り付けられ、足で踏むと上記長靴部内に空気を噴出するポンプ部をさらに設けたことを特徴とする。これにより、長靴内部の空気の流れを促進させるという作用をもたらす。
【０００８】
また、本発明の長靴において、上記長靴部の足首の周囲を覆う部分を上記長靴部の表面から締め付ける足首締付部材をさらに具備することを特徴とする。これにより、長靴部の足首の周囲を覆う部分を足にフィットさせるという作用をもたらす。
【０００９】
また、本発明の長靴において、上記軟質性防水素材が、低密度ポリエチレン、発泡ポリエチレン、エラストマー、合成ゴム、エラストマーと発泡ポリエチレンとの混合素材のうちのいずれか１つであることを特徴とする。
【発明の効果】
【００１０】
本発明によれば、長靴内部の通気性を向上させると同時に、容易に履けるという優れた効果を奏し得る。
【図面の簡単な説明】
【００１１】
【図１】本発明の実施の形態における長靴１００を示す図である。
【図２】靴を履いた状態で本発明の実施の形態における長靴１００を履く様子を示した図である。
【図３】本発明の実施の形態における長靴１００における空気の流れを示す図である。
【発明を実施するための形態】
【００１２】
次に、本発明の実施の形態について図面を参照して詳細に説明する。
【００１３】
図１は、本発明の実施の形態における長靴１００を示す図である。図１（ａ）は、連結幅調整部材３０および足首締付部材４１および４２により調整する前の長靴１００を示す図である。また、図１（ｂ）は、連結幅調整部材３０および足首締付部材４１および４２により調整した後の長靴１００を示す図である。
【００１４】
長靴１００は、靴を履いた状態でも靴を履いていない状態でも履ける長靴であり、長靴部１０と、長靴底部２０と、連結幅調整部材３０と、足首締付部材４１および４２と、ポンプ部５０とを備える。
【００１５】
長靴部１０は、長靴本体１１の前面１１ａにおける最上部から足の甲に相当する位置まで長靴本体１１の前面１１ａに沿って伸びる両底面が開口した略筒形状の筒状部１２が、前面１１ａにおいて長靴本体１１と連結するよう長靴本体１１および筒状部１２を一体に形成したものである。そして、長靴本体１１および筒状部１２は、長靴本体１１の前面１１ａ、および筒状部１２の長靴本体１１の前面１１ａに向かい合う側面１２ａ並びに下方部１２ｃにおいて連結されており、長靴本体１１と、長靴本体１１と筒状部１２との連結部分である連結部１３と、筒状部１２とで略瓢箪形状を形成している。なお、略瓢箪形状の窪んだ横幅の狭い部分が連結部１３になる。この結果、長靴部１０は、最上部から足の甲に相当する位置まで略瓢箪形状になる。本発明において瓢箪形状とは、２つの領域を連結して、その連結部の幅が２つの領域の幅よりも狭い場合の形状を指しており、その２つの領域および連結した部分が特定の形状でなければならないということはなく、如何なる形状であってもよい。
【００１６】
また、筒状部１２の上面部１２ｂは開口している。筒状部１２の上面部１２ｂの開口の態様は、図１に示すような態様に限るものではない。すなわち、図１の筒状部１２の上面部１２ｂを前方側（奥側）、側方側、上方側を覆い、後方側（手前側）のみを開口させるようにした、例えば中空略１／４球形状のような形状を筒状部１２の上面部１２ｂに形成させてもよい。こうすれば、筒状部１２の上面部１２ｂから水等が入ってくるのを防ぐことができる。また、例えば空気は通すが、水は通しにくいメッシュ状の素材を図１の筒状部１２の上面部１２ｂの全体を覆うように被せて防水対策としてもよい。このような態様の場合であっても本発明においては、底面が開口しているとして捉えることとする。こう捉えた場合、上記中空略１／４球形状のような形状部分やメッシュ状の素材は、別途設けられる構成要件と捉えてもよい。また、上記のように捉えた場合、底面が開口している特殊な態様として「底面」（例えば、端部における底面と看做せる部分は底面と捉える）および「開口」（例えば、メッシュ状でも開口していると捉える）の定義を本発明においては広く捉えてもよい。
【００１７】
そして、筒状部１２の下方部１２ｃは長靴本体１１と交差する態様で交わって長靴本体１１と一体化している。ただし、筒状部１２の下面部１２ｄは長靴本体１１の内部において開口しており、筒状部１２の下面部１２ｄを通じて長靴本体１１の内部と筒状部１２の内部とは空間的に連通した状態にある。
【００１８】
また、連結部１３の横幅は、図１（ａ）に示すように所定の横幅Ｄを有している。この場合、連結部１３を通じて長靴本体１１の内部と筒状部１２の内部とは空間的に連通した状態にある。
【００１９】
なお、筒状部１２は、上記のように最上部から足の甲に相当する位置まで伸びるものに限るものではなく、長靴本体１１の前面１１ａにおける足の脛の任意の位置（例えば、最上部から少し下がった位置）から少なくとも足首に相当する位置（最大で爪先に相当する位置）まで伸びていればよい。また、長靴本体１１は、公知の長靴形状をした長靴本体である。
【００２０】
また、図１において筒状部１２の形状は、長靴１００の最上部から足の甲に相当する位置まで横幅が長靴本体１１の前面１１ａを覆う幅をし、長靴本体１１の前面１１ａに沿って伸びる略四角筒形状をしているが、これに限るものではない。すなわち、筒状部１２の形状である本発明における略筒形状とは、様々な形状をした筒形状を含むものであり、上記説明した筒状部１２の形状の他、円筒形状、三角筒形状その他の特異な形状をした筒形状も含む。どのような筒形状となるかは、デザイン等の観点も含めた設計事項であり、本発明においては可能な限りあらゆる筒形状を含む。
【００２１】
図１において略瓢箪形状の窪んだ部分である連結部１３は、長靴部１０の最上部から足首に相当する位置を経て足の甲に相当する位置まで伸びている。なお、連結部１３がどの範囲まで伸びるかは、筒状部１２が伸びる範囲に応じて適切に決定されるものである。
【００２２】
上記説明したように本発明においては、長靴本体１１および筒状部１２を一体的に形成することにより長靴部１０を形成させることを想定している。この場合、長靴部１０は、例えば上記説明した長靴部１０の形状を有する所定の金型、および以下に説明するような材質を用いて成型することにより製造することが考えられる。
【００２３】
長靴部１０を形成する材質として、軟質性防水素材が想定される。軟質性防水素材として、例えば様々な合成樹脂、具体的には、低密度ポリエチレン（Low Density Polyethylene：LDPE）、発泡ポリエチレンやその他のポリエチレン系の素材、エラストマー、合成ゴムラテックス等の合成ゴム、または上記の素材を可能な限りの組み合わせで任意に混合した素材（例えば、エラストマーと発泡ポリエチレンとの混合素材）等が想定されるが、これに限るものではなく、その他の材質であってもよい。長靴部１０を軟質性防水素材により形成すれば、後述するように長靴部１０を変形させやすくなる。このため、長靴を履く際に内部に足を無理やりねじ込むようにしなくとも、長靴１００ならば容易に履くことができる。
【００２４】
長靴底部２０は、長靴部１０の底部に設けられた靴底である。長靴底部２０を形成する素材は、合成ゴム等のすべりづらい素材を用いることが想定されるが、これに限るものではない。
【００２５】
連結幅調整部材３０は、略瓢箪形状の窪んだ部分である連結部１３の横幅の大きさを調整するものである。図１（ａ）における長靴１００における連結部１３の横幅は所定の横幅Ｄを有しており、連結部１３を通じて長靴本体１１の内部と筒状部１２の内部とは空間的に連通した状態にある。この状態において、連結幅調整部材３０により連結部１３の横幅Ｄをなくすように（Ｄ＝０にするように）調整すると、図１（ｂ）に示すように長靴１００における連結部１３の横幅はなくなり（Ｄ＝０になり）、長靴本体１１と筒状部１２との間に壁１３ａが出来た状態になる。
【００２６】
これにより、連結部１３を通じた長靴本体１１の内部と筒状部１２の内部との空間的な連通状態はなくなる。ただし、上記説明したような壁１３ａが出来ても、筒状部１２の下面部１２ｄは長靴本体１１の内部において開口しているため、筒状部１２の下面部１２ｄを通じた長靴本体１１の内部と筒状部１２の内部との空間的な連通状態は維持される。
【００２７】
長靴本体１１と筒状部１２との間に壁１３ａを作ると、筒状部１２の上面部１２ｂおよび下面部１２ｄは開口しているため、筒状部１２は長靴本体１１下方の内部と外部とを繋ぐ通路となる。そして、筒状部１２は長靴本体１１内部に空気を取り入れたり、長靴本体１１内部の空気を排気したりする換気通路としての役割を果たす。
【００２８】
図１において連結幅調整部材３０は、結合部材３１と、結合部材３１と結合する被結合部材３２とにより構成されている。結合部材３１と被結合部材３２として、例えばマジックテープ（登録商標）やテープ状部材の先端にボタンが付いた部材とボタン受け部材等が想定されるが、これに限るものではなく、その他のものであってもよい。
【００２９】
また、連結幅調整部材３０は、長靴部１０のいずれかの位置に備えられていればよい。図１において連結幅調整部材３０は筒状部１２の上方部に取り付けられている。具体的には、結合部材３１と被結合部材３２とが筒状部１２の上方部において連結部１３を挟んで左右にそれぞれ位置している。また、連結幅調整部材３０の取り付け位置は、上記筒状部１２以外にも長靴本体１１の上方部でもよい。具体的には、結合部材３１と被結合部材３２とを長靴本体１１の連結部１３付近の上方部において連結部１３を挟んで左右にそれぞれ位置させるようにする。なお、連結幅調整部材３０の取り付け位置は上記の位置に限るものではなく、その他の位置であってもよい。
【００３０】
結合部材３１を被結合部材３２に結合させるように移動させると、連結部１３を構成する一方である連結構成部１３ｂが他方の連結構成部１３ｃに寄っていき（図１（ｂ）の矢印参照）、図１（ｂ）に示すように連結構成部１３ｂと連結構成部１３ｃとが接する。これにより、連結部１３における横幅がなくなり（Ｄ＝０になり）、壁１３ａが出来る。
【００３１】
なお、図１（ａ）に示すように、筒状部１２の側面１２ａの上方および長靴本体１１の前面１１ａの上方に２組のボタン部材３３ａおよび３３ｂ、ボタン部材３４ａおよび３４ｂを取り付ければ、筒状部１２を長靴本体１１の前面１１ａに沿う状態に固定することができる。
【００３２】
足首締付部材４１および４２は、長靴部１０の足首の周囲を覆う部分を長靴部１０の表面から締め付ける部材である。これにより、長靴部１０における足首より下を覆う部分はより足にフィットした形状になる。
【００３３】
足首締付部材４１および４２としては、例えば図１に示すようなマジックテープ（登録商標）と、先端に輪を設けたテープ状部材とで構成させることが想定されるが、これに限るものではない。足首締付部材４１および４２は、例えば長靴部１０の足の側面を覆う部分の所定の位置に設けられる。
【００３４】
ポンプ部５０は、長靴部１０底部に取り付けられ、足で踏むと長靴部１０内に空気を噴出するものである。ポンプ部５０として、例えば長靴部１０の底部に取り付けられたスポンジ部材が想定される。スポンジ部材を長靴部１０の底部に取り付けると、足でスポンジ部材を踏みつけた際に長靴部１０内に空気が噴出する。これにより、長靴部１０の内部の空気の流れを促進することができ、長靴１００内部の衛生面を向上させることができる。なお、ポンプ部５０として、上記スポンジ部材以外の、長靴部１０の底部に取り付けられ、足で踏むと空気を噴出する機構を備えたものや部材であってもよい。
【００３５】
長靴１００によれば、連結幅調整部材３０により調整することにより、足の前面に相当する位置に長靴１００内部を換気する通路を形成することができるため、通気性に優れた長靴を実現することができる。また、長靴１００によれば、長靴部１０の底部にポンプ部５０を備えることにより、長靴１００内の空気の循環を活発にすることができ、上記長靴１００内部を換気する通路の効果をよりよいものとすることができる。
【００３６】
図２は、靴を履いた状態で本発明の実施の形態における長靴１００を履く様子を示した図である。靴を履いた状態の場合、特に足のサイズが大きくなり長靴１００を履く際に履きづらくなることが想定される。また、靴を履いていない状態であっても、足のサイズが長靴１００にちょうどフィットするサイズである場合、長靴１００を履く際に履きづらくなることが想定される。本発明の実施の形態における長靴１００はこのような場合にも長靴１００を容易に履ける構造になっている。
【００３７】
すなわち、長靴１００を履く際に、筒状部１２に力を加えて筒状部１２を前方向に押し出すと、筒状部１２および連結部１３は広がり、長靴部１０の略瓢箪形状をした部分が変形して縦長に拡がる。この際、長靴部１０の略瓢箪形状をした部分は、足を挿入させるための開口が変形前よりも大きい縦長の略瓢箪形状、略楕円形状・その他の縦長の形状等のいずれかの形状に変形する。長靴部１０が軟質性防水素材を用いて作られているからである。このため、足を挿入させる間口が広くなり、靴を履いた状態でも長靴１００を履くことが容易になる。このように、筒状部１２および連結部１３は、足を挿入させる間口を広くさせる役割を担っている。
【００３８】
そして、足を長靴１００に挿入して筒状部１２に加える力を取り除くと、筒状部１２は図１に示すような元の形状に戻るように形成されることが好ましいが、これに限るものではなく、筒状部１２に最初とは逆方向に力を加えて図１に示すような元の形状に戻るように形成してもよい。以上のようになるように、長靴部１０は軟質性防水素材を用いて設計されている。
【００３９】
以上のように、筒状部１２は上記説明したように長靴１００内部を換気する通路としての役割があるが、それだけでなく長靴１００を履く際の足を挿入するための間口を広くさせる役割もある。長靴１００は、筒状部１２を備えているため、容易に履くことができる。
【００４０】
図３は、本発明の実施の形態における長靴１００における空気の流れを示す図である。なお、図３において長靴１００は、連結幅調整部材３０により連結部１３の横幅Ｄがなくなって壁１３ａが作り出された状態である。図３（ａ）は長靴１００の側面図であり、図３（ｂ）は長靴１００の正面図である。
【００４１】
連結幅調整部材３０により連結部１３の横幅がなくなって壁１３ａが作り出されると、図３（ａ）および図３（ｂ）に示すように長靴本体１１内部と筒状部１２内部とは、下面部１２ｄを通じて連通するようになる。この場合、図３（ａ）および図３（ｂ）における矢印の流れの順方向または逆方向に空気の流れが生じる。
【００４２】
すなわち、開口している筒状部１２の上面部１２ｂから空気が入り込み、筒状部１２を通じて筒状部１２の下面部１２ｄから長靴本体１１の内部に空気が送り込まれる。そして、長靴本体１１の内部に送り込まれた空気は、長靴本体１１の上面開口１１ｂから外に出て行く。なお、状況によっては空気の流れが上記の説明とは、逆になる場合もある。
【００４３】
また、長靴部１０の底部に取り付けられたポンプ部５０を踏むと、図３（ａ）および図３（ｂ）に示すポンプ部５０付近の矢印に示すように、長靴部１０内に空気が噴出する。これにより、長靴部１０内における空気の循環が促進される。
【００４４】
このように、筒状部１２を換気通路として長靴１００内において空気が循環することになり、ポンプ部５０によりその空気の循環がさらに促進され、長靴１００内の通気性を向上させることができる。
【００４５】
以上説明したように、本発明の実施の形態における長靴１００によれば、長靴内部の通気性を向上させることができると同時に、長靴を装着する際の煩わしさをなくし、長靴を容易に履くことができるという優れた効果を奏する。
【００４６】
なお、本発明の実施の形態は本発明を具現化するための一例を示したものであり、これに限定されるものではなく本発明の要旨を逸脱しない範囲において種々の変形を施すことができる。
【符号の説明】
【００４７】
１０  長靴部
１１  長靴本体
１１ａ  前面
１２  筒状部
１２ａ  側面
１２ｂ  上面部
１２ｃ  下方部
１２ｄ  下面部
１３  連結部
１３ａ  壁
１３ｂ、１３ｃ  連結構成部
２０  長靴底部
３０  連結幅調整部材
３１  結合部材
３２  被結合部材
３３ａ、３３ｂ、３４ａ、３４ｂ  ボタン部材
４１、４２  足首締付部材
５０  ポンプ部
１００  長靴
【図１】
0005461080.tif 000002
【図２】
0005461080.tif 000003
【図３】
0005461080.tif 000004